(57)【要約】  換気扇は、室内側と室外側とが開口した筒状であり、室外側の端部の内面両側に複数のシャッター板取付軸（２０ａ）を有する本体枠（２）と、本体枠（２）の内部に設置された送風機と、シャッター板取付軸（２０ａ）によって回動自在に支持されたシャッター板（９）とを備え、シャッター板（９）は、本体枠（２）の室外側の開口を開閉する板状の平板部と、平板部の両端部から立ち上がり、シャッター板取付軸（２０ａ）が挿入される保持孔（５０ａ）を備え、弾性変形可能な耳部（４０ａ）とを有し、シャッター板取付軸（２０ａ）は、保持孔（５０ａ）に挿入される際に耳部（４０ａ）を先端側に案内する案内面（２１）を室外側に有し、案内面（２１）は、シャッター板取付軸（２０ａ）の先端側ほどシャッター板取付軸（２０ａ）の中心に近づく面である。
2017158833.tif 000002
【特許請求の範囲】
【請求項１】
室内側と室外側とが開口した筒状であり、室外側の端部の内面両側に複数のシャッター板取付軸を有する本体枠と、
前記本体枠の内部に設置された送風機と、
前記シャッター板取付軸によって回動自在に支持された複数のシャッター板とを備え、
前記シャッター板は、前記本体枠の室外側の開口を開閉する板状の平板部と、該平板部の両端部から立ち上がり、前記シャッター板取付軸が挿入される保持孔を備え、弾性変形可能な耳部とを有し、
前記シャッター板取付軸は、前記保持孔に挿入される際に前記耳部を先端側に案内する案内面を室外側に有し、
前記案内面は、前記シャッター板取付軸の先端側ほど前記シャッター板取付軸の中心に近づく面であることを特徴とする換気扇。
【請求項２】
前記本体枠は、ばね性を有する台座部を備え、前記シャッター板取付軸は、前記台座部から突出していることを特徴とする請求項１に記載の換気扇。
【請求項３】
前記シャッター板取付軸は、前記案内面に溝部を有し、
前記シャッター板は、前記溝部に挿入可能な突起を前記耳部に有することを特徴とする請求項１又は２に記載の換気扇。
【請求項４】
前記シャッター板は、前記シャッター板取付軸の側面に引っかかるフックを前記耳部に有することを特徴とする請求項１又は２に記載の換気扇。
【発明の詳細な説明】
【技術分野】
【０００１】
本発明は、本体枠の室外側にシャッター板を備える換気扇に関する。
【背景技術】
【０００２】
特許文献１に開示される換気扇は、本体枠の室外側の開口端の両側面に保持孔を備えるとともに、室外側の開口端側で保持孔よりも上方において開口するスリットを有したシャッター板取付支持部に、シャッター板取付軸を備えたシャッター板を、本体枠内で弾性変形させながら、シャッター支持部のスリットに開口部から保持孔に挿入する構造を備えることで、良好な組み付け性を得ている。
【先行技術文献】
【特許文献】
【０００３】
【特許文献１】特開平７−２４８１３９号公報
【発明の概要】
【発明が解決しようとする課題】
【０００４】
しかしながら、上記特許文献１に開示される換気扇は、組み付けの際は換気扇の本体枠内でシャッター板全体を弾性変形させる必要があるが、組み付け性を良くしたシャッター板は、シャッター板面に強い外力を受けるとシャッター板両側の保持孔間寸法が小さくなる形状に変形し、シャッター板取付軸から脱落する。また、平板形状に起因する反りといった成形不良も発生しやすい。一方、脱落しにくいように強度を持たせたシャッター板は、弾性変形しにくいため、組み付け性が低下し、部品の破損を招く可能性があるという問題があった。【０００５】
本発明は、上記に鑑みてなされたものであって、シャッター板の本体枠への組み付けの容易性と本体枠からのシャッター板の脱落の防止とを両立できる換気扇を得ることを目的とする。
【課題を解決するための手段】
【０００６】
上述した課題を解決し、目的を達成するために、本発明は、送風機と、室内側と室外側とが開口した筒状であり、室外側の端部の内面両側に複数のシャッター板取付軸を有する本体枠と、本体枠の内部に設置される送風機と、シャッター板取付軸によって回動自在に支持された複数のシャッター板とを備える。シャッター板は、本体枠の室外側の開口を開閉する板状の平板部と、該平板部の両端部から立ち上がり、シャッター板取付軸が挿入される保持孔を備え、弾性変形可能な耳部とを有する。シャッター板取付軸は、保持孔に挿入される際に耳部を先端側に案内する案内面を室外側に有する。案内面は、シャッター板取付軸の先端側ほどシャッター板取付軸の中心に近づく面である。
【発明の効果】
【０００７】
本発明に係る換気扇は、シャッター板の本体枠への組み付けの容易性と本体枠からのシャッター板の脱落の防止とを両立できるという効果を奏する。
【図面の簡単な説明】
【０００８】
【図１】本発明の実施の形態１に係る換気扇の設置状態における分解斜視図
【図２】実施の形態１に係る換気扇の本体枠の斜視図
【図３】実施の形態１に係る換気扇のシャッター板の概略図
【図４】実施の形態１に係る換気扇のシャッター板取付軸の拡大図
【図５】実施の形態１に係る換気扇の本体枠とシャッター板との結合部分の斜視図
【図６】実施の形態１に係る換気扇の本体枠とシャッター板との結合部分の斜視図
【図７】本発明の実施の形態２に係る換気扇のシャッター板取付軸の拡大図
【図８】本発明の実施の形態３に係る換気扇の本体枠の断面図
【図９】実施の形態３に係る換気扇の本体枠の変形例を示す断面図
【図１０】本発明の実施の形態４に係る換気扇の本体枠及びシャッター板の分解斜視図
【図１１】本発明の実施の形態５に係る換気扇の本体枠及びシャッター板の分解斜視図
【発明を実施するための形態】
【０００９】
以下に、本発明の実施の形態に係る換気扇を図面に基づいて詳細に説明する。なお、この実施の形態によりこの発明が限定されるものではない。
【００１０】
実施の形態１．
図１は、本発明の実施の形態１に係る換気扇の設置状態における分解斜視図である。図１に示すように、換気扇１は、両端が開口した筒状の本体枠２と、本体枠２の内部に固定された電動機３とを備える。換気扇１は、本体枠２にオリフィス板４が設けられ、オリフィス板４には油受け５が取り付けられる。本体枠２の内部には電動機３が設けられ、電動機３のシャフト６にファン７が取り付けられ、ファン７の中央部にスピンナー８が取り付けられる。すなわち、ファン７は、本体枠２の内側に設置される。電動機３、ファン７及びスピンナー８で構成される送風機は、本体枠２の内部に設置されている。
【００１１】
換気扇１は、建物の壁面に形成された換気扇取付穴１０に挿入された木枠１１などに固定され、ファン７を回転駆動させることにより、室内側の空気と、室外側の空気との間に空気の流れを形成し、室内を換気する。すなわち、換気扇１は、木枠１１が設置された壁面の換気扇取付穴１０に本体枠２が挿入された状態で固定される。
【００１２】
本体枠２は、換気扇１全体を支持する強度を有し、樹脂で矩形状に形成されたものである。本体枠２は、室内側と室外側とが開口している。なお、本体枠２は、上記説明の形状に限定するものではなく、例えば形状は円形状であってもよく、金属鋼板で形成されているものであってもよい。本体枠２を樹脂製とすることにより、型を用いての量産が可能となり、製造コストを低減できる。
【００１３】
本体枠２の室内側、すなわち空気の流入側には、オリフィス板４が着脱自在に設けられる。オリフィス板４は、本体枠２とファン７との隙間を塞いで、室内の空気をファン７に導く風洞の働きをする。なお、オリフィス板４は、合成樹脂又は金属で形成されており、フィルタ又はメッシュガードが取り付けられているものもあるが、図１においてはフィルタ又はメッシュガードの図示を省略する。
【００１４】
オリフィス板４には、油受け５が着脱自在に取り付けられる。油受け５は、換気扇１が台所に据付けられた際に、調理時に排出する油煙に含まれた油がオリフィス板４に付着し、オリフィス板４を伝い流下した油を捕集する機能を有する。オリフィス板４から油受け５を取り外すことで、油受け５の内部に溜まった油を容易に捨てることができる。なお、油受け５は、オリフィス板４と一体であってもよい。
【００１５】
本体枠２の室外側には、室外側開口を開閉する複数のシャッター板９が設けられている。シャッター板９は、樹脂で形成されている。シャッター板９は、ファン７が発生させる換気流の風圧によって、上下へ回動し、横向きとなることで風路を開き、ファン７が停止すると自重により下方へ回動して下向きとなり風路を閉じる。シャッター板９が風路を閉じることにより、換気扇１の停止時には室内外の空気の移動が抑制されるため、室内温度を安定させることができる。
【００１６】
電動機３は、シャフト６を回転させることにより、シャフト６に取り付けられたファン７を回転駆動させる。ファン７は、シャフト６にスピンナー８が着脱自在に嵌め込まれており、換気扇１が固定された状態において、本体枠２の室内側の空気と、室外側の空気とを換気する。
【００１７】
図２は、実施の形態１に係る換気扇の本体枠の斜視図である。本体枠２の室外側の開口端の両側面には、シャッター板取付軸２０ａ，２０ｂ，２０ｃ，２０ｄが設けられている。シャッター板取付軸２０ａ，２０ｂ，２０ｃ，２０ｄは、本体枠２と一体に形成されており、分離不能である。
【００１８】
図３は、実施の形態１に係る換気扇のシャッター板の概略図である。シャッター板９は、本体枠２の室外側の開口を開閉する板状の平板部９ａと、平板部９ａの一端部から立ち上がる耳部４０ｃと、平板部９ａの他端部から耳部４０ｃと同じ方向に立ち上がる耳部４０ａとを備えている。耳部４０ｃには保持孔５０ｃが設けられている。耳部４０ａには保持孔５０ａが設けられている。
【００１９】
図４は、実施の形態１に係る換気扇のシャッター板取付軸の拡大図である。シャッター板取付軸２０ａの室外側には、先端に近づくほど軸芯からの距離が小さくなる案内面２１が設けられている。実施の形態１において、案内面２１は、先端に近づくにつれて一定の割合で軸芯からの距離が小さくなるテーパ面となっている。また、シャッター板取付軸２０ａには、本体枠２の軸方向と垂直なパーティングライン痕２５が、中心を通っている。すなわち、本体枠２の作成用の金型は、パーティングラインがシャッター板取付軸２０ａの中心にくるように設計されている。これにより、本体枠２の作成用の金型にスライドを追加する必要がなく、金型構造を簡略化でき、本体枠２の作成用の金型の製造コストを低減できる。ここではシャッター板取付軸２０ａについて説明したが、シャッター板取付軸２０ｂ，２０ｃ，２０ｄについても同様の構造である。
【００２０】
次に、シャッター板９の本体枠２への組立方法について説明する。図５及び図６は、実施の形態１に係る換気扇の本体枠とシャッター板との結合部分の斜視図であり、図５は、シャッター板連動板３０が設置される側を示し、図６は、シャッター板連動板３０が設置されない側を示す。図５に示すように、シャッター板連動板３０を組み付けたシャッター板９の耳部４０ｃに設けられている保持孔５０ｃに、シャッター板取付軸２０ｃを挿入する。次に、図６に示すように、シャッター板取付軸２０ｃに対向して設置されているシャッター板取付軸２０ａの案内面２１に耳部４０ａを押し当てながら押し込む。この際に、耳部４０ａは、案内面２１によりシャッター板取付軸２０ａの先端側に案内されて弾性変形して撓む。耳部４０ａが撓んだ状態で、シャッター板取付軸２０ａは、保持孔５０ａに挿入される。
【００２１】
なお、上記とは逆の順番で、保持孔５０ａにシャッター板取付軸２０ａを挿入した後に、保持孔５０ｃにシャッター板取付軸２０ｃを挿入しても良い。
【００２２】
シャッター板取付軸２０ａ，２０ｃの室内側には案内面２１が無いため、シャッター板９が本体枠２から脱落することは抑制される。
【００２３】
シャッター板取付軸２０ｂ，２０ｄに対しても、シャッター板取付軸２０ａ，２０ｃと同様の手順でシャッター板９を取り付けることができる。
【００２４】
実施の形態１に係る換気扇は、シャッター板９を本体枠２に組み付ける際に、シャッター板９の平板部９ａを弾性変形させる必要がなく、耳部４０ａを弾性変形させるだけで組み付けが可能である。したがって、平板部９ａに剛性を持たせることができ、設計の自由度が増すとともに、反りといった成形不良が軽減される。
【００２５】
なお、上記の説明では、シャッター板取付軸２０ａ，２０ｂ，２０ｃ，２０ｄが同様の構造であるとしたが、同じシャッター板９が取り付けられるシャッター板取付軸２０ａ，２０ｃの一方と、シャッター板取付軸２０ｂ，２０ｄの一方とに案内面２１を設けるようにしてもよい。この場合には、案内面２１を備えない方のシャッター板取付軸を先に保持孔に挿入し、その後、案内面２１を備える方のシャッター板取付軸に耳部を押し込んで保持孔に挿入すれば良い。
【００２６】
実施の形態２．
図７は、本発明の実施の形態２に係る換気扇のシャッター板取付軸の拡大図である。実施の形態２においては、シャッター板取付軸２０ａの先端部には、案内面をなす丸め面取り面２２が形成されている。この他については、実施の形態１と同様である。
【００２７】
実施の形態２に係る換気扇は、シャッター板９を本体枠２に組み付ける際に、シャッター板９の耳部４０ａが丸め面取り面２２によってシャッター板取付軸２０ａの先端側に案内されるため、実施の形態１と同様に、平板部９ａを弾性変形させる必要がない。
【００２８】
実施の形態３．
図８は、本発明の実施の形態３に係る換気扇の本体枠の断面図である。図８に示すように、本体枠２は、台座部２３を備えている。台座部は２３、縁部２ｂから突出する立ち上がり部２３ａと、立ち上がり部２３ａの先端から縁部２ｂと平行に延びる板ばね部２３ｂとで構成されており、シャッター板取付軸２０ａは、板ばね部２３ｂから突出している。この他は実施の形態１と同様である。
【００２９】
実施の形態３においては、シャッター板９を本体枠２に組み付ける際に、耳部４０ａだけでなく、板ばね部２３ｂも弾性変形する。したがって、実施の形態１と比較して、シャッター板９を本体枠２に組み付ける作業を容易に行える。
【００３０】
図９は、実施の形態３に係る換気扇の本体枠の変形例を示す断面図である。実施の形態２と同様に、シャッター板取付軸２０ａには、案内面をなす丸め面取り面２２が形成されている。図９に示す構成では、シャッター板９を本体枠２に組み付ける際に、耳部４０ａだけでなく、板ばね部２３ｂも弾性変形する。したがって、実施の形態２に係る換気扇と比較して、シャッター板９を本体枠２に組み付ける作業を容易に行える。
【００３１】
実施の形態４．
図１０は、本発明の実施の形態４に係る換気扇の本体枠及びシャッター板の分解斜視図である。実施の形態４では、シャッター板取付軸２０ａの室外側の案内面２１に溝６０が設けられている。一方、シャッター板９の耳部４０ａには、溝６０に挿入可能な突起７０が形成されている。
【００３２】
実施の形態４においては、シャッター板９を本体枠２に組み付ける際に、耳部４０ａが溝６０と交差する方向に移動することは規制される。したがって、シャッター板９の取付軸２０ａを保持孔５０ａに挿入し損なうことがない。
【００３３】
実施の形態５．
図１１は、本発明の実施の形態５に係る換気扇の本体枠及びシャッター板の分解斜視図である。シャッター板９の耳部４０ａには、鉤状のフック８０が設けられている。フック８０は、シャッター板取付軸２０ａに引っかかり、シャッター板耳部４０ａを押し込んで保持孔５０ａにシャッター板取付軸２０ａを挿入する際に、耳部４０ａがシャッター板取付軸２０ａの軸方向と交差する方向に動いて保持孔５０ａの位置がシャッター板取付軸２０ａからずれることがなくなり、より容易な組立を実現できる。
【００３４】
なお、シャッター板取付軸２０ａの室外側の案内面２１は、テーパ面の代わりに丸め面取り面にしても同様な効果が得られる。
【００３５】
図１１に示す構成ではフック８０は一つであるが、フック８０を二つ設け、フック８０でシャッター板取付軸２０ａを挟むようにしてもよい。二つのフック８０でシャッター板取付軸２０ａを挟むことで、耳部４０ａがシャッター板取付軸２０ａの軸方向と交差する方向に移動することが抑制されるため、シャッター板取付軸２０ａを保持孔５０ａに挿入しやすくなる。
【００３６】
上記実施の形態１から実施の形態５においては、ファン７による換気流の風圧の有無によりシャッター板９が開閉する構造であったが、連結棒により開閉装置に接続され、開閉装置により手動又は自動で開閉される構造であっても良い。また、シャッター板９は樹脂以外の材料製とすることができる。シャッター板９は鋼板製とすることができるが、これに限定されない。また、シャッター板９が１枚の構造であっても良い。
【００３７】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３８】
１  換気扇、２  本体枠、３  電動機、４  オリフィス板、５  油受け、６  シャフト、７  ファン、８  スピンナー、９  シャッター板、９ａ  平板部、１０  換気扇取付穴、１１  木枠、２０ａ，２０ｂ，２０ｃ，２０ｄ  シャッター板取付軸、２１  案内面、２２  丸め面取り面、２３  台座部、２３ａ  立ち上がり部、２３ｂ  板ばね部、２５  パーティングライン痕、３０  シャッター板連動板、４０ａ，４０ｃ  耳部、５０ａ，５０ｃ  保持孔、６０  溝、８０  フック。
【図１】
2017158833.tif 000003
【図２】
2017158833.tif 000004
【図３】
2017158833.tif 000005
【図４】
2017158833.tif 000006
【図５】
2017158833.tif 000007
【図６】
2017158833.tif 000008
【図７】
2017158833.tif 000009
【図８】
2017158833.tif 000010
【図９】
2017158833.tif 000011
【図１０】
2017158833.tif 000012
【図１１】
2017158833.tif 000013
【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
室内側と室外側とが開口した筒状であり、室外側の端部の内面両側に複数のシャッター板取付軸を有する本体枠と、
前記本体枠の内部に設置された送風機と、
前記シャッター板取付軸によって回動自在に支持された複数のシャッター板とを備え、
前記シャッター板は、前記シャッター板取付軸が挿入される保持孔を備え、
前記シャッター板取付軸は、室外側に、前記シャッター板取付軸の先端側ほど前記シャッター板取付軸の中心に近づく案内面を有することを特徴とする換気扇。
【請求項２】
前記本体枠は、ばね性を有する台座部を備え、前記シャッター板取付軸は、前記台座部から突出していることを特徴とする請求項１に記載の換気扇。
【請求項３】
前記シャッター板は、弾性変形可能であって前記保持孔が形成された耳部を有し、
前記シャッター板取付軸は、前記案内面に溝部を有し、
前記シャッター板は、前記溝部に挿入可能な突起を前記耳部に有することを特徴とする請求項１又は２に記載の換気扇。
【請求項４】
前記シャッター板は、前記シャッター板取付軸の側面に引っかかるフックを前記耳部に有することを特徴とする請求項３に記載の換気扇。
【請求項５】
前記本体枠と前記シャッター板取付軸とが一体であることを特徴とする請求項１から４のいずれか１項に記載の換気扇。
【手続補正２】
【補正対象書類名】明細書
【補正対象項目名】００３２
【補正方法】変更
【補正の内容】
【００３２】
実施の形態４においては、シャッター板９を本体枠２に組み付ける際に、耳部４０ａが溝６０と交差する方向に移動することは規制される。したがって、シャッター板取付軸２０ａを保持孔５０ａに挿入し損なうことがない。
【手続補正３】
【補正対象書類名】明細書
【補正対象項目名】００３３
【補正方法】変更
【補正の内容】
【００３３】
実施の形態５．
図１１は、本発明の実施の形態５に係る換気扇の本体枠及びシャッター板の分解斜視図である。シャッター板９の耳部４０ａには、鉤状のフック８０が設けられている。フック８０は、シャッター板取付軸２０ａに引っかかり、シャッター板９の耳部４０ａを押し込んで保持孔５０ａにシャッター板取付軸２０ａを挿入する際に、耳部４０ａがシャッター板取付軸２０ａの軸方向と交差する方向に動いて保持孔５０ａの位置がシャッター板取付軸２０ａからずれることがなくなり、より容易な組立を実現できる。
【国際調査報告】
2017158833.tif 000014
2017158833.tif 000015
2017158833.tif 000016
2017158833.tif 000017